(57)【要約】【課題】樹脂コンクリートパネルを用いた水路用トンネルの内面補修を、単純な工程にて効率よく行うと共に、樹脂コンクリートパネルの特性を活かし、固定材を２枚のパネルに連続使用することで経済性を高めた固定手段を提供する。【解決手段】弾性体材料からなる直方体に、小判型楕円形の貫通孔２が上面３に対して直交方向に貫通し、貫通孔の長径は対面する側面の一方の側面５に近接して配置され、かつ該側面５と平行に設けられており、そして近接した側面５の上下方向の２つの辺が、直角三角柱状の空間部分を有した矩形面９にて形成した形状となっていることを特徴とする樹脂コンクリートパネル用固定材。【選択図】図１
0003165913.tif 000002
【実用新案登録請求の範囲】
【請求項１】
弾性体材料からなる直方体に、小判型楕円形の貫通孔が上下面に対して直交方向に貫通し、貫通孔の長径は対面する側面の一方に近接して配置され、かつ該側面と平行に設けられており、そして近接した側面の上下方向の２つの辺が、直角三角柱状の空間部分を有した矩形面にて形成された形状となっていることを特徴とする樹脂コンクリートパネル用固定材。
【請求項２】
側面の上下方向の４つの辺すべてが、直角三角柱状の空間部分を有した矩形面にて形成された形状となっている請求項１に記載の固定材。
【請求項３】
直角三角柱が二等辺直角三角柱であることを特徴とする請求項１または２に記載の固定材。
【請求項４】
弾性体材料がゴムであることを特徴とする請求項１〜３のいずれかに記載の固定材。
【請求項５】
ゴムの硬度がショアＡで６２±５度であることを特徴とする請求項４に記載の固定材。
【請求項６】
小判型楕円形の貫通孔が近接した側面は、上下面の長辺側の側面であることを特徴とする請求項１〜５のいずれか一項に記載の固定材。
【考案の詳細な説明】
【技術分野】
【０００１】
本考案は水路用トンネル等の内面補強や補修に用いられる覆工用コンクリートパネルの固定材に係る。
【背景技術】
【０００２】
水路用トンネルの補強や補修に際して、覆工用プレキャストコンクリートパネルを使用する工法が採用されることが多くなっている。そして、使用されるプレキャストコンクリートパネルも、パネルの強度特性に優れ、厚さも１０ｍｍ程度のパネルも使用でき、さらに、表面粗度の値も小さいものが得られるため、水路用トンネルの補強補修工法おいて、樹脂コンクリートパネルがよく使用される。この工法では、樹脂コンクリートパネルでトンネル内面を覆い、パネルと既設コンクリート面の間に裏込め材を充填し、パネルにてトンネル内面を覆工する。
【０００３】
樹脂コンクリートパネルにてトンネル内面を覆工するには、トンネルの周方向のアーチ形状に合致させるために曲面形状の異なる複数のパネルを連結し、さらにトンネルの軸方向にもその距離に応じて多数のパネルを連結する必要がある。このようなパネルの連結固定は、アンカーボルトやボルトとナットの組合せ等を用いて連結固定し、連結部にシール材を充填する工法などが行われている。
【０００４】
このような工法は時間と手間がかかり、効率の良いものではなかった。このような問題点を解消するために、樹脂コンクリートパネルの縁部にフランジ部を設け、ビスなどの固定手段によりこのフランジ部を連結固定する工法も提案されている（特許文献１参照）。しかしながら、この工法では、パネルにフランジを設ける必要があり、さらにビスなどを用いて固定する必要があり、パネルとトンネル部の固定ボルト位置は、事前に設定した場合には誤差が生じ、互いのボルト位置とは合致しないため、費用や作業効率の面で充分なものではなかった。
【先行技術文献】
【特許文献】
【０００５】
【特許文献１】特開２００４−２０４５５４号公報
【考案の概要】
【考案が解決しようとする課題】
【０００６】
本考案の課題は、樹脂コンクリートパネルを用いた水路用トンネルの内面補修を効率よく行うと共に、樹脂コンクリートパネルの特性を活かすためのパネルの固定手段を提供することである。
【課題を解決するための手段】
【０００７】
本考案の固定材は、弾性体材料からなる直方体に、小判型楕円形の貫通孔が上下面に対して直交方向に貫通し、貫通孔の長径は対面する側面の一方に近接して配置され、かつ該側面と平行に設けられており、そして近接した側面の上下方向の２つの辺が、直角三角柱状の空間部分を有した矩形面にて形成された形状となっていることを特徴とする樹脂コンクリートパネル用固定材である。
【０００８】
直方体は、平行に対面する上面と下面、および平行に対面する２組の側面の面からなる六面体である。上記固定材では、この上下面に対して直交して設けられた小判型楕円形の貫通孔が、上記の内の１組の側面の一方に近接して設けられている。そして、近接した側面の上下方向の２つの辺に形成された矩形面を、パネル表面に密着することができ、パネルを固定できる。これは、固定材が弾性材料から構成されているために、パネルの固定に際して、固定材の貫通孔が近接した側面をパネルが押し込んだときに、小判型楕円形の貫通孔が内側方向に陥没して凹形に変形し、２つの矩形面がパネル表面に弾性体の反発力にて押し付けられ密着できるものである。尚、この矩形面の形成は、直方体から、これらの２つの辺を直角三角柱状に切り取ることでもよいし、弾性材料をこのような形状に予め成形することでもよい。小判型楕円形の貫通孔も同様に、直方体から切り貫くことでもよいし、予め成形することでもよい。
【０００９】
上記に記載の固定材において、側面の上下方向の４つの辺すべてが、直角三角柱状に切り取られ、矩形面を形成した形状となっているパネル固定材も提供される。この固定材では、直方体の上下面の形状は、各頂点が三角形状に切り取られた形状となっており、八角形となっているものである。この三角柱状の空間部分の存在は、パネルの挿入の介助と共に、貫通孔が凹形変形後、形成した矩形面がパネルの固定面となる。また、片側に２面有することで２枚のパネルを連結固定できる。更に両側に４面有することで、側面を反転させて使用し、凹形に変形する部分の厚さを変えて、弾性反発力の調整が可能となる。
【００１０】
そして上記の固定材において、直角三角柱が二等辺直角三角柱であること、弾性材料がゴムであること、そしてゴムの硬度がショアＡで６２±５度であることが好ましい。
【００１１】
また、上記の固定材において、小判型楕円形の貫通孔が近接した側面は、上下面の長辺側の側面であることが好ましい。
【００１２】
本考案の固定材を用いた固定構造として、該固定材の小判型楕円形の貫通孔が近接した側面に形成した矩形面が、貫通孔を凹形変形させることにより、パネルの表面上に弾性体の反発力にて押し当てられ密着することで、パネルが固定されているトンネル覆工用樹脂コンクリートパネルの固定構造が得られる。
【００１３】
そして上記の固定構造として、Ｈ鋼製支保工のフランジ内側に樹脂コンクリートパネル端部を挿入する際、該パネル端部をＨ鋼製支保工のフランジに既設置の固定材とフランジとの間に挿入することで、フランジ内側部にパネルが固定されていることを特徴とする固定構造も得られる。
【考案の効果】
【００１４】
本考案の固定材では、小判型楕円形の貫通孔が近接した側面側にパネルが押し付けられると、貫通孔は凹形変形し、この側面の両脇に形成された矩形面がパネル表面に密着し、パネルを固定することができる。この固定材では小判型楕円形の貫通孔がひとつの側面に近接しており、かつ固定材の構成材料も弾性材料からなっているために、パネルの押し込みに際して、この貫通孔を内側に容易に変形させることができ、過大な力を要することなく固定作業ができる。そして固定後は、矩形面がパネル表面に密着し、パネルを弾性反発力にて固定することができる。そして、２枚のパネルを連結固定する際には、それぞれのパネル端部において、この固定材をブリッジ状にして、２つの矩形面をそれぞれのパネル表面に振り分けて密着することもでき、連結固定により固定材の数量を減じることにて、コストダウンも図れる。
【００１５】
また、本考案の固定材をパネルの端部と共にＨ鋼製支保工のフランジ間に挟み込むという単純な作業で、パネルを支保工に確実に固定することができる。また、トンネル内面の覆工に際して、複数のパネルの連結固定も上記したように、フランジ間で固定材をブリッジ状にして、パネルと共に挟み込むという単純な作業で連結固定ができる。このように、Ｈ鋼製支保工と本考案の固定材とを組み合わせれば、トンネル内面の修復覆工も工程が少ないため合理化され、短工期にて施工可能な工法とすることができる。
【００１６】
さらに、本考案の固定材が好ましく適用される樹脂コンクリートパネルは表面粗度係数がｎ＝０．０１０であって、通常の平滑なコンクリート面の粗度計数がｎ＝０．０１３であるのに対して小さい特性を持っている。本考案のパネル固定材を用いた場合には、樹脂コンクリートパネルには固定金具などの装着や加工の必要がなく、良好な表面粗度係数を損なうことがない。そして、Ｈ鋼製支保工と本考案のパネル固定材とを組み合わせた固定構造では、トンネル内面覆工のパネル連結部は、Ｈ鋼製支保工のフランジとなっているため、覆工面の表面粗度係数も良好に維持され、樹脂コンクリートパネルの特性を活かすことができる。
【００１７】
そして、側面の上下方向の４つの辺すべてが、矩形面を形成した形状となっているパネル固定材では、四隅が尖っておらず、パネル挿入時の介助効果となり作業がし易く、直角三角柱が二等辺直角三角柱である場合では、種々の曲率のすべてのパネルへの適用がし易い。また、弾性材料としてゴムを使用した場合には、パネル固定材の装着作業が容易であり、かつ優れた弾性反発力によるパネル固定力が得られる。
【図面の簡単な説明】
【００１８】
【図１】本考案の固定材の実施例の斜視図である。
【図２】図１の固定材の平面図、正面図および側面図である。
【図３】実施例の固定材とＨ鋼製支保工との組み合わせでパネルを覆工している、トンネルの軸方向に直交の断面説明図である。
【図４】図３における固定材によるパネルの固定部分の拡大図である。
【図５】実施例の固定材によるパネルの固定構造の断面および背面説明図である。
【図６】実施例の固定材とＨ鋼製支保工とを組み合わせたトンネル上部のパネルの固定構造の説明図であり、５Ａはトンネル軸方向に平行の鉛直断面図、５Ｂはトンネル軸方向に直交の鉛直断面図である。
【考案を実施するための形態】
【００１９】
以下、本考案を図に基づいて詳細に説明する。図１および２に示す形態の本考案の固定材１では、小判型楕円形の貫通孔２が直方体の対面する側面５、６のうち、側面５に近接して設けられ、かつ小判型楕円形の長径は側面５、６に平行となっている。側面５、６は上下面（上面３、下面４）の長辺側となっており、他の１組の側面７、８より横が長くなっている。この形態では、２組の側面の上下方向の４つの辺すべてが直角三角柱状に切り取られて、矩形面９、１０を形成している。このように４つの辺すべてが切り取られて、角が取れていると、パネル挿入作業が容易となり、かつ上下反転することで弾性力の変換でき、固定作業がし易い。しかし、必ずしもこのような形態とする必要はなく、少なくとも貫通孔２が近接している側の側面の２つの辺が切り取られておればよい。以下に述べるように、固定材１を用いたパネルの固定は、矩形面９をパネル表面に密着させることで行うことができるためである。
【００２０】
固定材１はゴム等の弾性材料からなっているために、固定材１を用いてパネルを固定するには、側面５にパネル端部を押し込み、さらに強く押し込むことで、変形部分１１を貫通孔２の内側方向に凹形で陥没するように変形させ、矩形面９をパネル表面に密着させ固定できる。
【００２１】
図３は本考案の固定材とＨ鋼製支保工との組み合わせでパネルを覆工している、トンネルの軸方向に直交の断面説明図である。２本のＨ鋼製支保工３０はトンネル側壁と天井のアーチに沿って設けられており、支保工末端フランジ３１によりトンネル天頂部にて連結されており、トンネル底盤部はインバートパネル２４で覆工されている。トンネル側壁とアーチ部を覆工するパネルは、側壁とアーチ部に沿った曲率の異なる３枚の樹脂コンクリートパネル２１、２２、２３で構成されている。固定材１は１枚のパネルに密着し固定している固定材１ａと２枚のパネルをブリッジ状に連結している固定材１ｂとして用いられている。樹脂コンクリートパネルはＨ鋼製支保工３０の内側フランジ３３に沿って、底盤部から順次曲率の小さい樹脂コンクリートパネル２１から、曲率の大きくなる樹脂コンクリートパネル２２、２３と覆工されている。樹脂コンクリートパネル２１は、このパネルと外側フランジ３２との間に挟みこまれた固定材１ａと１ｂとにより、内側フランジ３３に固定されている。樹脂コンクリートパネル２２は固定材１ｂにより両端を固定されており、樹脂コンクリートパネル２３は固定材１ｂと１ａとにより固定されている。これらの固定材１ａと１ｂはいずれも貫通孔が内側に陥没して凹形変形し、矩形面９が樹脂コンクリートパネルの表面に密着し、弾性反発力でパネルを固定している。
【００２２】
図４に固定材１ｂが樹脂コンクリートパネル２１と２２とを固定している状態を示す。ここでは、Ｈ鋼製支保工３０のフランジ３２と３３の内側にパネル固定材１ｂがセットされ、樹脂コンクリートパネル２１と２２との端部が、Ｈ鋼製支保工の内側フランジ３３とパネル固定材との間に挿入されることで、内側フランジ３３に樹脂コンクリートパネル２１と２２とが固定されている。固定材１ｂは樹脂コンクリートパネル２１と２２との端部で押し込まれ、変形部分１１が貫通孔２の内側方向に凹形で陥没するように変形させられ、二つの矩形面９がパネル２１と２２との表面に密着させられている。このように、貫通孔２が内側方向に凹型で陥没するように変形することで、矩形面９をパネル表面に完全に密着することができ、固定材でパネルをしっかりと固定できる。
【００２３】
図５は、固定材１ａと１ｂとで樹脂コンクリートパネル２１、２２、２３を、Ｈ鋼製支保工３０の外側フランジ３２と内側フランジ３３との間で固定している構造の説明図である。図５の４Ａ、４Ｂ、４Ｃはそれぞれ樹脂コンクリートパネル２１、２２、２３が固定されている構造の断面図と裏面図である。４Ａには樹脂コンクリートパネル２１が２つの固定材１ａと２つの固定材１ｂとでパネルの四隅が固定されている構造を示している。固定材１ａでは２つの矩形面が共に樹脂コンクリートパネル２１に密着し、固定材１ｂでは矩形面の一方だけが密着し、他方の矩形面は他のパネルに密着することを示している。４Ｂでは、樹脂コンクリートパネル２２が４つの固定材１ｂで固定され、４Ｃでは樹脂コンクリートパネル２３が２つの固定材１ａと２つの固定材１ｂとで固定されている構造を示している。
【００２４】
図６には、樹脂コンクリートパネルで覆工されたトンネルの側壁とアーチ部の、トンネル軸方向に平行の鉛直断面図５Ａとトンネル軸方向に直交の鉛直断面図５Ｂが示されている。これらの図では、樹脂コンクリートパネル２２と２３とが、固定材１ａ、１ｂとＨ鋼製支保工３０とで固定されている構造を示している。
【００２５】
樹脂コンクリートパネル２２は、４つの固定材１ｂにより、Ｈ鋼製支保工３０の内側フランジ３３に沿って固定されている。この場合図６の５Ａに示されるように、樹脂コンクリートパネル２２はトンネルの軸方向に覆工する距離に応じて、Ｈ鋼製支保工３０を介して複数のパネルが覆工されている。そして、複数パネルが連結固定されている構造は、樹脂コンクリートパネル２２の縦方向の端部をＨ鋼製支保工３０の一方の側の内側フランジ３３に沿って挿入し、他方の側の内側フランジ３３には連結する他の樹脂コンクリートパネル２２の縦方向の端部を挿入し、挿入したパネルの端部を、図６の５Ｂで示すように、このパネルの上下に配置する樹脂コンクリートパネル２１、２３と共に、挿入された固定材１ｂにより固定することで、構成できる。この構造は樹脂コンクリートパネル２１、２３についても、固定材１ａが併用される点以外は同様である。この場合に５Ｂに示されるように、固定材１ａ、１ｂにおいて、変形部１１が貫通孔２の内部に陥没し、矩形面９がパネル表面に密着して各樹脂コンクリートパネルを固定しているのは前述のとおりである。
【００２６】
この覆工においては、トンネルの既設コンクリート部と覆工したパネルの間隙は、微粒子グラウトなどが充填注入され、覆工モルタル４０で充填固結されている。また、樹脂コンクリートパネル２１、２２、２３の上下の縦方向のつなぎ目はＨ鋼製支保工３０の内側フランジで覆われ、パネルの形状に沿って目地コーキングを行うが、水平方向のつなぎ目には目地コーキング２５またはシールテープ養生が施されている。
【００２７】
以上のように、本考案の固定材を用いることにより、樹脂コンクリートパネルをトンネルの内壁への覆工が単純な作業で行うことができる。さらに、覆工したパネルの表面には固定金具など突起物がなく、樹脂コンクリートパネルの粗度係数が小さいという特性を損なうことがない。そのため、水路用トンネルの覆工には特に好ましく適用できる。
【００２８】
本考案の固定材を構成する弾性体材料としては、軟質ポリ塩化ビニルなどの軟質プラスチック材料も使用できるが、モルタル硬化熱の影響を考慮すると、ゴムであることが好ましく、天然ゴムや各種の合成ゴムが使用される。固定材に使用するゴムの硬度はショアＡで６２±５度の範囲にあることが好ましく、この範囲の硬度のゴムを使用することにより、パネルの固定作業が容易となり、またパネルをしっかりと固定することのできる反発力が得られる。固定材を成形するには、各種のゴム材料に充填材、加硫材、その他の添加剤などが配合し、加硫成形することで製造できる。この場合、前記したように貫通孔や矩形面を付与された金型により、予め成形してもよいし、ゴムの直方体を成型した後、該当する辺を直角三角形状に切り取り、貫通孔を切り貫くことでもよい。
【００２９】
本考案の固定材が好ましく適用される樹脂コンクリートパネルは、不飽和ポリエステル樹脂やエポキシ樹脂などの熱硬化性樹脂に珪砂、炭酸カルシウムなどの細骨材やガラス繊維などを混合し、加熱しながらプレス成形したパネルが最適であり、非常に緊密で硬く、安定した化学的性質を持ったものである。そのため、強度的にも優れ、厚さ１０ｍｍ程度でも十分に覆工用プレキャストパネルとして使用されているものである。また、前述したように樹脂コンクリートパネルは粗度係数も低く、水路用トンネルの覆工材として好ましいものである。
【産業上の利用可能性】
【００３０】
以上述べたように、本考案の固定材は樹脂コンクリートパネルを用いた水路用トンネルの内面補修において単純作業で効率よく作業性に優れた材料であり、超高強度コンクリートパネルなど、他のプレキャストコンクリートパネルの固定にも使用することができる。
【符号の説明】
【００３１】
１    固定材
１ａ    同一パネルに適用された固定材
１ｂ    ２枚のパネルにブリッジ状に適用された固定材
２    小判型楕円形の貫通孔
３    固定材の上面
４    固定材の下面
５、６    固定材の側面（上下面の長辺側）
７、８    固定材の側面（上下面の短辺側）
９    矩形面
１０    矩形面
１１    変形部分
２１、２２、２３    樹脂コンクリートパネル
２４    インバートパネル
２５    目地コーキング
３０    Ｈ鋼製支保工
３１    支保工末端フランジ
３２    支保工外側フランジ
３３    支保工内側フランジ
４０    覆工モルタル
【図１】
0003165913.tif 000003
【図２】
0003165913.tif 000004
【図３】
0003165913.tif 000005
【図４】
0003165913.tif 000006
【図５】
0003165913.tif 000007
【図６】
0003165913.tif 000008